(57)【要約】【課題】セキュリティ設定の管理が煩雑とならないようにする。【解決手段】記録装置は、第一の記録媒体と、第二の記録媒体と、前記第一の記録媒体および前記第二の記録媒体がパスワード保護されているか否かを判定するパスワード設定判定手段と、前記第一の記録媒体および前記第二の記録媒体へのアクセスがロック設定されているか判定するロック設定判定手段とを有し、第一の記録媒体および第二の記録媒体に互いに関連性のあるデータを記録する際に、第一の記録媒体と第二の記録媒体のパスワード保護設定およびロック設定に差異がある場合に、警告を通知する。【選択図】図１
2018025836.tif 000002
【特許請求の範囲】
【請求項１】
第一の記録媒体と、
第二の記録媒体と、
前記第一の記録媒体および前記第二の記録媒体がパスワード保護されているか否かを判定するパスワード設定判定手段と、
前記第一の記録媒体および前記第二の記録媒体へのアクセスがロック設定されているか判定するロック設定判定手段と
を有し、
第一の記録媒体および第二の記録媒体に互いに関連性のあるデータを記録する際に、第一の記録媒体と第二の記録媒体のパスワード保護設定およびロック設定に差異がある場合に、警告を通知することを特徴とする記録装置。
【請求項２】
第一の記録媒体と、
第二の記録媒体と、
前記第一の記録媒体および前記第二の記録媒体がパスワード保護されているか否かを判定するパスワード設定判定手段と、
前記第一の記録媒体および前記第二の記録媒体へのアクセスがロック設定されているか判定するロック設定判定手段と、
前記第一の記録媒体および前記第二の記録媒体のパスワードを変更するパスワード変更手段と
を有し、
第一の記録媒体および第二の記録媒体に互いに関連性のあるデータを記録する際に、第一の記録媒体と第二の記録媒体のパスワード保護設定およびロック設定に差異がある場合に、前記第一の記録媒体と前記第二の記録媒体のパスワードを変更し、同一のパスワードを両記録媒体に再設定することを特徴とする記録装置。
【請求項３】
第一の記録媒体と、
第二の記録媒体と、
前記第一の記録媒体および前記第二の記録媒体がパスワード保護されているか否かを判定するパスワード設定判定手段と、
前記第一の記録媒体および前記第二の記録媒体へのアクセスがロック設定されているか判定するロック設定判定手段と、
前記第一の記録媒体および前記第二の記録媒体のパスワードを変更するパスワード変更手段と
を有し、
第一の記録媒体および第二の記録媒体に互いに関連性のあるデータを記録する際に、第一の記録媒体と第二の記録媒体のパスワード保護設定およびロック設定に差異がある場合に、記録を禁止することを特徴とする記録装置。
【発明の詳細な説明】
【技術分野】
【０００１】
本発明は、複数の記録媒体に画像データを記録する記録装置に関する。
【背景技術】
【０００２】
従来、画像データを撮影して複数の記録媒体に記録する機能を有した記録装置が知られている。これらの記録装置は、記録を実行する前に各記録媒体の容量に十分な空きがあるかなどの判定を行うのが一般的である。
【０００３】
一方で、装着した記録媒体にパスワードとともにロック設定を行い、ロック設定した記録媒体にはアクセスできないようなセキュリティ保護機能をもつ記録装置も提案されている（特許文献１）。これらの記録装置でロック設定された記録媒体にアクセスしたい場合は、パスワードを用いて一時的にロック解除する方法が一般的である。
【先行技術文献】
【特許文献】
【０００４】
【特許文献１】特開２０１０−２２４９０５号公報
【発明の概要】
【発明が解決しようとする課題】
【０００５】
しかしながら、特許文献１では、複数の記録媒体間のパスワードが異なる場合に一連の画像を記録する際の制御については特に情報が開示されていない。
【０００６】
このため、使用者がセキュリティ保護したいと考えている画像データを、パスワード設定状態やロック設定状態が異なる複数の記録媒体に記録する際に、使用者がそのことを認識できないまま不用意にセキュリティ設定されていない記録媒体に記録してしまったり、異なるパスワード設定のまま記録してしまい管理が煩雑になってしまうという課題があった。
【０００７】
そこで、本発明は、複数の記録媒体のパスワード設定状態とロック設定状態に応じてメッセージの通知や記録可否判定を行うことで、使用者が保護したいと考えている画像データをセキュリティ保護していないカードに記録したり、異なるパスワードの記録媒体への記録が行われることを使用者に対して通知することができ、セキュリティ設定の管理が利用者に煩雑とならない記録が可能となる記録装置を提示することを目的とする。
【課題を解決するための手段】
【０００８】
本発明に係る記録装置の一つは、第一の記録媒体と、第二の記録媒体と、前記第一の記録媒体および前記第二の記録媒体がパスワード保護されているか否かを判定するパスワード設定判定手段と、前記第一の記録媒体および前記第二の記録媒体へのアクセスがロック設定されているか判定するロック設定判定手段とを有し、第一の記録媒体および第二の記録媒体に互いに関連性のあるデータを記録する際に、第一の記録媒体と第二の記録媒体のパスワード保護設定およびロック設定に差異がある場合に、警告を通知することを特徴とする。
【０００９】
本発明に係る記録装置の一つは、第一の記録媒体と、第二の記録媒体と、前記第一の記録媒体および前記第二の記録媒体がパスワード保護されているか否かを判定するパスワード設定判定手段と、前記第一の記録媒体および前記第二の記録媒体へのアクセスがロック設定されているか判定するロック設定判定手段と、前記第一の記録媒体および前記第二の記録媒体のパスワードを変更するパスワード変更手段とを有し、第一の記録媒体および第二の記録媒体に互いに関連性のあるデータを記録する際に、第一の記録媒体と第二の記録媒体のパスワード保護設定およびロック設定に差異がある場合に、前記第一の記録媒体と前記第二の記録媒体のパスワードを変更し、同一のパスワードを両記録媒体に再設定することを特徴とする。
【００１０】
本発明に係る記録装置の一つは、第一の記録媒体と、第二の記録媒体と、前記第一の記録媒体および前記第二の記録媒体がパスワード保護されているか否かを判定するパスワード設定判定手段と、前記第一の記録媒体および前記第二の記録媒体へのアクセスがロック設定されているか判定するロック設定判定手段と、前記第一の記録媒体および前記第二の記録媒体のパスワードを変更するパスワード変更手段とを有し、第一の記録媒体および第二の記録媒体に互いに関連性のあるデータを記録する際に、第一の記録媒体と第二の記録媒体のパスワード保護設定およびロック設定に差異がある場合に、記録を禁止することを特徴とする。
【発明の効果】
【００１１】
本発明によれば、複数の記録媒体に画像データを記録する機能を備えた記録装置において、使用者が保護したいと考えている画像データを複数の記録媒体に記録する際に、不用意にセキュリティ保護していない、または、セキュリティ設定が異なる、記録媒体へ記録することを防止することができる。
【図面の簡単な説明】
【００１２】
【図１】第１の実施形態に係る記録装置の構成の一例を説明するためのブロック図である。
【図２Ａ】セキュリティモード遷移時に行われる処理の一例を説明するためのフローチャートである。
【図２Ｂ】セキュリティモード遷移時に行われる処理の一例を説明するためのフローチャートである。
【図２Ｃ】カード装着時に行われる処理の一例を説明するためのフローチャートである。
【図２Ｄ】パスワード設定時に行われる処理の一例を説明するためのフローチャートである。
【図２Ｅ】パスワード解除時に行われる処理の一例を説明するためのフローチャートである。
【図３Ａ】第１の実施形態における記録制御を説明するためのフローチャートである。
【図３Ｂ】第１の実施形態におけるセキュリティ判定を説明するためのフローチャートである。
【図４】第１の実施形態におけるセキュリティ判定を説明するための動作表である。
【発明を実施するための形態】
【００１３】
以下、図面を参照して本発明の実施形態を説明する。ただし、本発明は以下の実施形態に限定されるものではない。
【００１４】
［第１の実施形態］
図１は、第１の実施形態に係る記録装置の構成の一例を説明するためのブロック図である。第１の実施形態に係る記録装置は、例えば、撮像装置として動作することができる。
【００１５】
制御部１０１はマイクロコンピュータを有し、プログラムや記憶部１０４の情報、操作制御部１０６からの情報などに従って記録装置の各部を制御する。制御部１０１はセキュリティ制御部１０２と画像処理部１１３を備えている。セキュリティ制御部１０２は、記録媒体制御部１０９を通じて記録媒体Ａ１１０および記録媒体Ｂ１１１へのパスワード設定／解除やロック設定／解除を行う。撮像部１０３は、画像データを入力する入力手段として機能し、被写体を撮影して画像データを出力する。
【００１６】
画像処理部１１３は撮像部１０３において出力された画像データをエンコード圧縮して規定の画像ファイルフォーマットに則ったファイル形式の画像ファイルに変換し、記録媒体制御部１０９を介して記録媒体Ａ１１０および記録媒体Ｂ１１１に記録を行う。
【００１７】
また、画像処理部１１３は、記録を行う際に複数のエンコード圧縮やファイル形式に同時変換することが可能であり、異なる画像ファイルフォーマットを同時に記録媒体Ａ１１０と記録媒体Ｂ１１１にそれぞれ記録することが可能である。
【００１８】
なお、画像処理部１１３は、本実施形態においては制御部１０１のサブブロックとして記載しているが、外部のブロックとして独立してもよく、本実施形態の範囲内である。
【００１９】
記憶部１０４は、記録媒体Ａ１１０および記録媒体Ｂ１１１における管理情報や、記録装置のセキュリティモード設定、記録装置の動作モード、パスワード、記録媒体毎のロック設定状態、記録媒体毎のパスワード設定状態等の情報を記憶する。また、上述した撮像部１０３および画像処理部１１３の画像データおよび画像ファイルの一時バッファとしても利用することができる。
【００２０】
操作部１０５は、電源スイッチ、メニュー画面を操作するためのスイッチ等を備える。スイッチは物理的なボタンやタッチパネルなどの表示部１０７上に表示されるボタンやつまみでも良い。操作制御部１０６は、操作部１０５からの指示に応じて制御部１０１に操作情報を通知する。
【００２１】
表示部１０７は液晶パネルなどを備え、メニュー画面等の情報や、メッセージ表示などを表示する。表示制御部１０８は、制御部１０１からの情報によりメニュー画面等の情報や、メッセージ表示などを表示部１０７に表示する。
【００２２】
記録媒体制御部１０９は、記録媒体Ａ１１０および記録媒体Ｂ１１１（以下、記録媒体およびカードと呼ぶ）とコマンド送受信を行い、記録媒体の認識や記録媒体へのパスワード設定／解除やロック設定／解除などを行う。さらに、記録媒体に画像データを記録したり、記録媒体から画像データを読み出す制御を行う。また、記録媒体制御部１０９は、ＦＡＴファイルシステム等の公知のファイルシステムに従い、記録媒体に記録する各種のデータをファイルとして管理する。
【００２３】
記録媒体Ａ１１０および記録媒体Ｂ１１１は、フラッシュメモリカード等のランダムアクセス可能な記録媒体である。記録媒体Ａ１１０および記録媒体Ｂ１１１は、不図示の装着排出機構により記録装置に着脱自在である。データバス１１２は、各部の間でデータやコマンドを送受信する。
【００２４】
以降に、記録装置の具体的な動作を説明していく。セキュリティモードの切り替え、カード装着時の動作、パスワードの設定解除、記録時の制御の順に説明していく。
【００２５】
複数の記録媒体に対しての記録処理は、関連する画像を複数の記録媒体に記録する記録処理であり、例えば、
（１）同一の画像を異なる画像フォーマットとして記録する異種同時記録、
（２）同一の画像を複数の記録媒体に記録するミラー記録、
（３）一連の動画像や一連の静止画像を一方の記録媒体に書き込み記録媒体が記録容量に達した際に他方の記録媒体に記録先を切り替えて記録を継続するリレー記録、
（４）セキュリティ向上や記録媒体への書き込み速度の保証のため、一つの画像データを複数メディアに分割書き込みして双方の記録媒体の書き込みデータを後で結合することで一つの画像として再構成可能とする分割書き込み記録
が含まれる。
【００２６】
記録装置はセキュリティモードという動作モードを備え、メニューによりセキュリティモードＯＦＦ／ＯＮを切り替えることができる。セキュリティモードＯＦＦの場合はロック設定されたカードに対してロック解除処理を行わず、セキュリティモードＯＮの場合はロック設定されたカードに対してロック解除処理を行う。
【００２７】
また、セキュリティモードＯＦＦからＯＮに遷移する際にユーザーにパスワードの入力を要求し、入力されたパスワードは記憶部１０４に記憶しておく。ここで記憶されたパスワードは、セキュリティモードＯＮからＯＦＦへの遷移時に照合のために使用したり、記録媒体へのパスワード設定／解除時および記録媒体へのロック解除時に使用する。また、セキュリティモードＯＮ／ＯＦＦの情報も記憶部１０４に記憶しておく。カードに設定するパスワードにルールがある場合には、ここでそのルールに則ったパスワードであるかチェックしても良い。ルールとは、パスワードに指定できる文字であること、最小パスワード長以上であること、最大パスワード長以下であることなどである。
【００２８】
さらに、セキュリティモードＯＮからＯＦＦに遷移する際もユーザーにパスワードの入力を要求し、記憶部１０４に記憶されているパスワードと合致した場合にセキュリティモードＯＦＦへ遷移する。これは、セキュリティモードをＯＮに遷移させたユーザー以外が、セキュリティモードをＯＦＦに遷移させないようにするためである。
【００２９】
ここで、図２Ａを参照し、セキュリティモードをＯＮからＯＦＦに切り替える際のシーケンスを説明する。まず、セキュリティモードＯＦＦからＯＮに遷移する際にパスワードの入力を要求する（処理２０１）。パスワードが入力されたらセキュリティモードＯＮに遷移させる（処理２０２）。
【００３０】
次に、図２Ｂを参照し、セキュリティモードＯＦＦからＯＮに遷移する際にパスワードの入力を要求する（処理２１１）。そして入力されたパスワードとすでに記憶しているパスワードを比較し（処理２１２）、合致した場合にはセキュリティモードＯＦＦに遷移させ（処理２１３）、合致しなかった場合にはセキュリティモードＯＮのままとする（処理２１４）。
【００３１】
次に、記録装置にカードが装着された際の動作を説明する。前提条件として、カードは自身にパスワードが設定されていた場合に、記録装置から明示的にロック設定処理を行うことなく、自動的に自身をロック設定済状態とするものとする。
【００３２】
まず、カードが装着されたらカードのロック設定状態を取得する。ここでは、記録装置−カード間の電気的な信号のやり取りにおいて、記録装置からカードに対してコマンドを送信し、その応答にカードのロック設定状態の情報が含まれているものとする。この際、カードがロック設定済状態であった場合にはパスワード設定済という情報を、カードがロック未設定状態であった場合にはパスワード未設定という情報をカード情報と紐付けて記憶部１０４に記憶しておく。カード情報とは、その記録装置のカードスロットナンバーでも良いし、カード毎に一意のＩＤでも良い。
【００３３】
カードがロック未設定状態の場合はカードへのアクセスが可能と判定する。カードへのアクセスが可能と判定した場合には、カードの認識を行うためのイニシャルシーケンスやファイルシステムの解析、画像データを記録するためのファイル解析や管理情報の読み込みや書き込みなどを行う。
【００３４】
反対にカードへのアクセスが不可能と判定した場合には、以降のイニシャルシーケンスやカードへの読み込み／書き込み／消去処理を行わない。
【００３５】
カードがロック設定済状態の場合は記録装置のセキュリティモードのＯＮ／ＯＦＦによって動作が異なる。セキュリティモードＯＮの場合には、記憶部１０４に記憶されているパスワードとともにロック解除処理を行う。ここでは、記録装置−カード間の電気的な信号のやり取りにおいて、記録装置からパスワードを含んだロック解除コマンドを送信する。このロック解除コマンドを受信したカードは、カードの記憶しているパスワードと記録装置から受信したパスワードが合致していた場合に内部状態をロック未設定状態とし、パスワードが不一致の場合に内部状態をロック設定済状態のままとする。
【００３６】
ロック解除処理によってカードのロックが解除されたかどうかは、前述のカードのロック設定状態の取得処理を再度行うことにより判定する。ロックが解除された場合は、カードへのアクセスが可能と判定する。ロック解除されない場合は、カードへのアクセスが不可と判定する。その際には、「パスワードが異なります」などのロック解除を試みたが失敗したという旨のメッセージを通知しても良い。
【００３７】
セキュリティモードＯＦＦの場合には、カードへのアクセスが不可と判定する。その際には、「カードを確認してください」などロック解除には言及しない汎用的な内容のメッセージを通知しても良い。
【００３８】
カードのロック設定状態を記憶部１０４に記憶しておき、後の処理で参照する。
【００３９】
ここで、図２Ｃを参照し、記録装置にカードが装着された際のシーケンスを説明する。まず、カードのロック設定状態を取得し（処理２２１）、ロック設定済状態の場合はセキュリティモードの判定（処理２２２）へ遷移し、ロック未設定状態の場合は記録媒体へアクセス可能（処理２２７）と判定して処理を終了する。
【００４０】
セキュリティモードの判定（処理２２２）で、セキュリティモードＯＮの場合はロック解除処理（処理２２３）へ遷移し、セキュリティモードＯＦＦの場合は記録媒体へアクセス不可能（処理２２６）と判定して処理を終了する。
【００４１】
ロック解除処理（処理２２３）の後にロック設定状態を取得し（処理２２４）、ロック未設定状態の場合は記録媒体へアクセス可能（処理２２５）と判定して処理を終了する。ロック設定済状態の場合は記録媒体へアクセス不可能（処理２２６）と判定して処理を終了する。
【００４２】
次に、カードへのパスワード設定／解除について説明する。カードへのパスワード設定／解除は、セキュリティモードＯＮの場合にメニューにより行う。セキュリティモードＯＦＦの場合はカードへのパスワード設定／解除メニューが有効化されない。
【００４３】
また、パスワード設定はパスワード未設定状態のカードにしか行えない。パスワード設定済状態のカードに対して別のパスワードを設定することはできず、その場合はいったんパスワード解除を行い、別のパスワードでセキュリティモードＯＮに入り直してからパスワード設定を行う。同様にパスワード未設定状態のカードへのパスワード解除は行えない。
【００４４】
カードに設定するパスワードおよび解除に使用するパスワードは、セキュリティモードＯＦＦ→ＯＮ時に記憶部１０４に記憶したパスワードを用いる。カードがパスワード設定済状態かパスワード未設定状態かは、カード装着時に記憶部１０４にカード情報と紐付けて記憶されている情報をもとに判定する。
【００４５】
パスワードの設定処理は、記録装置−カード間の電気的な信号のやり取りにおいて、記録装置からパスワードを含んだパスワード設定コマンドを送信する。このパスワード設定コマンドを受信したカードは、カード内部に受信したパスワードを記憶する。ただし、パスワード設定されただけではロック設定済状態とはならず、ロック未設定状態のままである。また、なんらかの原因によりパスワード設定に失敗した場合には、カードの状態を通知する際に「パスワード設定解除失敗」という情報を通知する。
【００４６】
パスワード設定処理において「パスワード設定解除失敗」を通知された記録装置は、「パスワード設定に失敗しました」などのメッセージを表示する。パスワード設定に成功した場合はパスワード設定済という情報を、パスワード設定に失敗した場合はパスワード未設定という情報をカード情報と紐付けて記憶部１０４に記憶しておく。
【００４７】
パスワード解除処理は、記録装置−カード間の電気的な信号のやり取りにおいて、記録装置からパスワードを含んだパスワード解除コマンドを送信する。このパスワード解除コマンドを受信したカードは、カードの記憶しているパスワードと記録装置から受信したパスワードが合致していた場合に内部に記憶しているパスワードを消去する。パスワードが不一致の場合にはパスワードを消去せず、カードの状態を通知する際に「パスワード設定解除失敗」という情報を通知する。パスワード解除処理において「パスワード設定解除失敗」を通知された記録装置は、「パスワード解除に失敗しました」などのメッセージを表示する。
【００４８】
本実施形態では、パスワードが一致する場合にはすでにカード装着時の処理においてロック未設定状態であるし、パスワードが不一致の場合にはすでにカード装着時の処理においてロック設定済状態であるため、パスワード解除処理によってカードのロック設定状態が変わることはない。パスワード解除に成功した場合はパスワード未設定という情報を、パスワード解除に失敗した場合はパスワード設定済という情報をカード情報と紐付けて記憶部１０４に記憶しておく。
【００４９】
ここで、図２Ｄ及び図２Ｅを参照し、カードへのパスワード設定／解除の際のシーケンスを説明する。
【００５０】
パスワード設定シーケンスでは、まず当該カードがパスワード設定済状態か判定し（処理２３１）、パスワード未設定状態の場合はパスワード設定処理（処理２３２）へ遷移し、パスワード設定済状態の場合は処理を終了する。パスワード設定処理（処理２３２）後に、カードから通知された情報を参照してパスワード設定に成功したか判定する（処理２３３）。パスワード設定に成功した場合は処理を終了し、パスワード設定に失敗した場合はメッセージ通知を行う（処理２３４）。
【００５１】
パスワード解除シーケンスでは、まず当該カードがパスワード設定済状態か判定し（処理２４１）、パスワード設定済状態の場合はパスワード解除処理（処理２４２）へ遷移し、パスワード未設定状態の場合は処理を終了する。パスワード解除処理（処理２４２）後に、カードから通知された情報を参照してパスワード解除に成功したか判定する（処理２４３）。パスワード解除に成功した場合は処理を終了し、パスワード解除に失敗した場合はメッセージ通知を行う（処理２４４）。
【００５２】
次に、複数記録媒体への記録時の制御について説明する。ここで行う記録処理は、画像処理部１１３において生成された画像ファイルを記録先カード（記録媒体Ａ１１０および記録媒体Ｂ１１１）のファイルシステムにもとづいて書きこむ処理であり、公知の技術により実現される。また、記録前判定として、記録先カードの誤消去防止スイッチがＯＮされていないか、記録先カードがリードオンリーとなっていないか、記録の結果画像データの規格上限を超えないか、記録先カードの容量が十分であるか、などの判定処理も、公知の技術により実現される。
【００５３】
本実施形態のポイントは、２つのカードのパスワード設定状態、ロック設定状態に応じて記録可否の判定とメッセージ通知を行うことである。パスワード設定状態およびロック設定状態は前述の記憶部１０４を参照して取得する。ここで、図３Ａを参照し、記録時の制御について説明する。
【００５４】
まず、ユーザーによりカードが挿入された場合（記録先カードのファイルシステムのマウント時）に後述のセキュリティ判定を行う（処理３０１）。
【００５５】
判定の結果（処理３０２）、記録可能と判定した場合には上述の記録前判定（処理３０３）に遷移し、記録不可と判定した場合には処理を終了する。
前述の記録前判定（処理３０３）の結果（処理３０４）、記録可能と判定した場合には記録処理（処理３０５）を開始する。
【００５６】
なお、本実施形態では、記録処理のためにはセキュリティ判定と記録前判定が必須となっているが、リレー記録時には片方のメディアのみ記録可能な旨を通知して片側の記録媒体への記録を許可するなども可能である。
【００５７】
また、記録処理設定の変更時に、セキュリティ判定の一連の処理３０１乃至３０４を再度実施するなど、記録処理が複数存在する場合に判定処理の更新を行うことも容易であり、本実施形態の範囲内である。
【００５８】
次に、図３Ｂを参照し、セキュリティ判定（処理３０１）の詳細を説明する。
【００５９】
まず、（処理３０１１）において、記録媒体Ａ１１０のセキュリティ状態を記憶部１０４より取得し、記録媒体Ａが「パスワード未設定状態かつロック未設定状態」の場合には、（処理３０１２）に進み、記録媒体Ａが「パスワード設定済状態かつロック未設定状態」の場合には、（処理３０１３）に進み、記録媒体Ａが「パスワード設定済状態かつロック設定済状態」の場合には、（処理３０１７）に進む。
【００６０】
（処理３０１２）において、記録媒体Ｂ１１１のセキュリティ状態を記憶部１０４より取得し、記録媒体Ｂが「パスワード未設定状態かつロック未設定状態」の場合には、（処理３０１８）に進み、記録媒体Ｂが「パスワード設定済状態かつロック未設定状態」の場合には、（処理３０１５）に進み、記録媒体Ｂが「パスワード設定済状態かつロック設定済状態」の場合には、（処理３０１７）に進む。
【００６１】
（処理３０１３）において、記録媒体Ｂ１１１のセキュリティ状態を記憶部１０４より取得し、記録媒体Ｂが「パスワード未設定状態かつロック未設定状態」の場合には、（処理３０１５）に進み、記録媒体Ｂが「パスワード設定済状態かつロック未設定状態」の場合には、（処理３０１４）に進み、記録媒体Ｂが「パスワード設定済状態かつロック設定済状態」の場合には、（処理３０１７）に進む。
【００６２】
（処理３０１４）において、記憶部１０４より取得した記録媒体Ａ１１０記録媒体Ｂ１１１のパスワードが一致しているか否かを判定し、一致している場合には（処理３０１８）へ進み、異なる場合には（処理３０１６）に進む。
【００６３】
（処理３０１５）において、パスワード設定されていない記録媒体を示す旨のメッセージを表示部１０７に表示し、（処理３０１９）に進む。
【００６４】
（処理３０１６）において、パスワードが一致していない旨のメッセージを表示部１０７に表示し、（処理３０１９）に進む。なお、本実施形態では、パスワードが一致していない場合に、パスワード解除処理を実行後に、再度利用者にパスワードを入力させて、新たなパスワードを記録媒体に設定することで一致したパスワードを設定させることなども容易であり請求の範囲である。
【００６５】
（処理３０１７）において、ロック設定されているために記録ができない旨のメッセージを表示部１０７に表示し、（処理３０１９）に進む。
【００６６】
（処理３０１８）において、記録可能と判定された場合の処理として次の処理（判定３０２）に対して記録可能を通知する。
【００６７】
（処理３０１９）において、記録不可と判定された場合の処理として次の処理（判定３０２）に対して記録不可を通知する。
【００６８】
上記のセキュリティ判定の結果を表図で表すと図４のように表される。
【００６９】
なお、処理３０１６においては、警告表示を行ったうえで記録を可能とさせるなど、記録機器のパスワード設定に関する用途に応じて判定を変更することは容易であり、本発明の範囲内である。
【００７０】
また、処理３０１２において、両記録媒体がパスワード未設定の場合に、記録装置のセキュリティ状態に応じて記録可否を判定し、セキュリティレベルが高い場合には記録を禁止するなどしてもよい。
【符号の説明】
【００７１】
１０１  制御部
１０２  セキュリティ制御部
１０３  撮像部
１０４  記憶部
１０５  操作部
１０６  操作制御部
１０７  表示部
１０８  表示制御部
１０９  記録媒体制御部
１１０  記録媒体Ａ
１１１  記録媒体Ｂ
１１２  データバス
１１３  画像処理部
【図１】
2018025836.tif 000003
【図２Ａ】
2018025836.tif 000004
【図２Ｂ】
2018025836.tif 000005
【図２Ｃ】
2018025836.tif 000006
【図２Ｄ】
2018025836.tif 000007
【図２Ｅ】
2018025836.tif 000008
【図３Ａ】
2018025836.tif 000009
【図３Ｂ】
2018025836.tif 000010
【図４】
2018025836.tif 000011